(57)【要約】【課題】所定の電子デバイス接続端子と所定の電子デバイス搭載パッドとが対向した位置に設けられて電気的に接続されており、生産性のよいモジュールを提供する。【解決手段】一方の短辺に沿って第一の電子デバイス接続端子が設けられ他方の短辺に沿って第二の電子デバイス接続端子が設けられている電子デバイスと、基板部と枠部で構成され形成された矩形形状の凹部空間の底面の一方の短辺に沿って第一の電子デバイス搭載パッドが設けられ、凹部空間の底面の他方の短辺に沿って第二の電子デバイス搭載パッドが設けられている電子デバイス搭載部材と、を備え、第一の電子デバイス接続端子と第一の電子デバイス搭載パッドとが対向する位置に設けられ、第二の電子デバイス接続端子と第二の電子デバイス搭載パッドとが対向する位置に設けられ、電子デバイスの一方の短辺側の側面と凹部空間の一方の短辺を含む枠部の内側の短辺側側面が接していることを特徴とする。【選択図】      図１
2011210926.tif 000002
【特許請求の範囲】
【請求項１】
一方の短辺に沿って第一の電子デバイス接続端子が設けられ、他方の短辺に沿って第二の電子デバイス接続端子が設けられている電子デバイスと、
基板部及び枠部で構成されて矩形形状の凹部空間が形成され、前記凹部空間の底面の一方の短辺に沿って第一の電子デバイス搭載パッドが設けられ、前記凹部空間の底面の他方の短辺に沿って第二の電子デバイス搭載パッドが設けられている電子デバイス搭載部材と、
を備え、
前記電子デバイスの前記第一の電子デバイス接続端子と前記電子デバイス搭載部材の前記第一の電子デバイス搭載パッドとが対向する位置に設けられ、
前記電子デバイスの前記第二の電子デバイス接続端子と前記電子デバイス搭載部材の前記第二の電子デバイス搭載パッドとが対向する位置に設けられ、
前記電子デバイスの一方の短辺側の側面と前記凹部空間の一方の短辺を含む前記枠部の内側の短辺側側面とが接している
ことを特徴とするモジュール。
【請求項２】
一方の短辺に沿って第一の電子デバイス接続端子と第三の電子デバイス接続端子とが並んで設けられ、他方の短辺に沿って第二の電子デバイス接続端子と第四の電子デバイス接続端子とが並んで設けられている電子デバイスと、
基板部及び枠部で構成されて矩形形状の凹部空間が形成され、前記凹部空間の底面の４隅に第一の電子デバイス搭載パッドと第二の電子デバイス搭載パッドと第三の電子デバイス搭載パッドと第四の電子デバイス搭載パッドとが一つずつ設けられている電子デバイス搭載パッドと、
を備え、
前記電子デバイスの前記第一の電子デバイス接続端子と前記電子デバイス搭載部材の前記第一の電子デバイス搭載パッドとが対向する位置に設けられ、
前記電子デバイスの前記第二の電子デバイス接続端子と前記電子デバイス搭載部材の前記第二の電子デバイス搭載パッドとが対向する位置に設けられ、
前記電子デバイスの前記第三の電子デバイス接続端子と前記電子デバイス搭載部材の前記第三の電子デバイス搭載パッドとが対向する位置に設けられ、
前記電子デバイスの前記第四の電子デバイス接続端子と前記電子デバイス搭載部材の前記第四の電子デバイス搭載パッドとが対向する位置に設けられ、
前記電子デバイスの一方の短辺側の側面と前記凹部空間の底面の一方の短辺を含む前記枠部の内側の短辺側側面とが接し、
前記電子デバイスの一方の長辺側の側面と前記凹部空間の底面の一方の長辺を含む前記枠部の内側の長辺側側面とが接している
ことを特徴とするモジュール。
【発明の詳細な説明】
【技術分野】
【０００１】
本発明は、電子機器に用いられる電子デバイスとこの電子デバイスを搭載する電子デバイス搭載部材とから構成されているモジュールに関する。
【背景技術】
【０００２】
電子デバイスは、一般的に、携帯用通信機器等の電子機器に搭載されている。
また、このような電子デバイスは、電子デバイス接続端子が設けられている。
また、このような電子デバイスは、この電子デバイス接続端子と電子機器の配線基板に設けられている搭載用パッドとが対向する位置に設けられて、例えば、半田等の導電材料によって電気的に接続されて、電子機器の配線基板に搭載されている。
【０００３】
電子機器の配線基板は、電子デバイスに設けられている電子デバイス接続端子の位置及び大きさに合わせて搭載用パッドが設けられている。
【０００４】
近年の急速な電子機器の小型化に伴って電子デバイスの小型化が活発に行われ、従来まで用いていた電子デバイスが生産中止になりつつある。
このため、従来の電子デバイスに合わせて搭載用パッドが設けられている場合、電子機器の配線基板に小型化された電子デバイスを搭載することができなくなる恐れや、電子機器の配線基板の仕様の変更をしなければならない恐れがあり、生産性が低下する恐れがある。
【０００５】
このような問題を解決するために、従来の電子デバイスに合わせて搭載用パッドが設けられている電子機器の配線基板に小型化された電子デバイスを搭載するために、例えば、小型化された電子デバイスを電子デバイス搭載部材に搭載したモジュールを用いる場合がある。
このようなモジュールは、小型化された電子デバイスと電子デバイス搭載部材とからなっている。
【０００６】
小型化された電子デバイスは、従来の電子デバイスと比較してその主面の大きさ小さくなっているため、一方の主面に設けられている複数の電子デバイス接続端子の大きさやこの電子デバイス接続端子の間隔が小さくなっている。
【０００７】
電子デバイス接続端子は、例えば、２つ設けられており、矩形形状となっている。
一方の電子デバイス接続端子は、例えば、電子デバイスの一方の主面の一方の短辺に沿って設けられている。
他方の電子デバイス接続端子は、例えば、電子デバイスの一方の主面の他方の短辺に沿って設けられており、一方の電子デバイス接続端子と同じ大きさとなっている。
【０００８】
電子デバイス搭載部材は、例えば、矩形形状の平板状に設けられている。
また、電子デバイス搭載部材は、一方の主面に電子デバイス搭載パッドが設けられており、他方の主面に搭載部材接続端子が設けられている。
また、電子デバイス搭載部材は、所定の電子デバイス搭載パッドと所定の搭載部材接続端子とを電気的に接続している内部配線が設けられている。
【０００９】
搭載部材接続端子は、例えば、２つ設けられている。
また、搭載部材接続端子は、例えば、それぞれの短辺に沿って一つずつ設けられている。
また、搭載部材接続端子は、従来の電子デバイスの電子デバイス接続端子と同じ大きさ及び位置関係で設けられている。つまり、搭載部材接続端子は、電子機器の配線基板に設けられている搭載用パッドと対向する位置に設けられている。
【００１０】
電子デバイス搭載パッドは、小型化された電子デバイスの電子デバイス接続端子と対向する位置に設けられている。
ここで、電子デバイス搭載パッドは、例えば、電子デバイス搭載部材の一方の主面に２つ設けられている。
一方の電子デバイス搭載パッドは、電子デバイス搭載部材の一方の短辺側に設けられており、電子デバイス搭載部材の中心側に向かって凸形状となっている。また、一方の電子デバイス搭載パッドは、一方の電子デバイス搭載部材接続端子と電子デバイス搭載部材の内部配線を介して電気的に接続されている。
他方の電子デバイス搭載パッドは、電子デバイス搭載部材の他方の短辺側に設けられており、電子デバイス搭載部材の中心側に向かって凸形状となっている。また、他方の電子デバイス搭載パッドは、電子デバイス搭載部材の中心を通る直線で、一方の電子デバイス搭載パッドと線対称の形状となっている。また、他方の電子デバイス搭載パッドは、他方の電子デバイス搭載部材接続端子と電子デバイス搭載部材の内部配線を介して電気的に接続されている。
【００１１】
一方の主面側から見た場合、このようなモジュールは、電子デバイスの中心と電子デバイス搭載部材の中心とを合わせることで、電子デバイス搭載パッドと電子デバイス接続端子とを対向する位置に設けることができ電気的に接続させることができる。
つまり、電子デバイス接続端子の大きさが異なる場合や電子デバイス接続端子の間隔が異なる場合であっても、このようなモジュールは、電子デバイスの中心と電子デバイス搭載パッドの中心とを合わせることで所定の電子デバイス接続端子と所定の電子デバイス搭載パッドを対向する位置に設けられ電気的に接続されている。
従って、このようなモジュールは、電子デバイス搭載部材の一方の主面側から見た場合、小型化された電子デバイスの中心が電子デバイス搭載部材の中心と重なる位置に小型化された電子デバイスを設けることで、電子デバイス搭載部材が電子デバイス接続端子の設けられている位置関係や大きさの種類が異なる小型化された電子デバイスを搭載することができる構造となっている。
つまり、このようなモジュールは、電子デバイス搭載パッドに小型化された電子デバイスを搭載することで、小型化された電子デバイスであっても、従来の電子デバイスと同じ様に電子機器の配線基板に搭載することができる構造となっている（例えば、特許文献１参照）。
【００１２】
なお、電子デバイス接続端子が２つ設けられている場合について説明しているが、電子デバイス接続端子が４つ設けられている場合、電子デバイス搭載パッドは、２つ場合の電子デバイス搭載パッドの長辺と平行な方向中央部が切断され、４つ設けられている。
【先行技術文献】
【特許文献】
【００１３】
【特許文献１】特開２００３−２４３８１４号公報
【発明の概要】
【発明が解決しようとする課題】
【００１４】
しかしながら、従来のモジュールは、電子デバイス搭載部材の中心と電子デバイスの中心とを合わせると、所定の電子デバイス接続端子と所定の電子デバイス搭載パッドとを対向する位置に設けられている。
このため、従来のモジュールは、電子デバイスが小型化した場合、電子デバイスの中心を電子デバイス搭載部材の中心に合わせることが困難となり、所定の電子デバイス接続端子と所定の電子デバイス搭載パッドが対向する位置に設けられず電気的に接続されていない恐れがある。
従って、従来のモジュールは、所定の電子デバイス接続端子と所定の電子デバイス搭載パッドとを電気的に接続させることができなく導通不良が発生し、生産性が悪くなる恐れがある。
【００１５】
そこで、本発明では、所定の電子デバイス接続端子と所定の電子デバイス搭載パッドとが対向した位置に設けられて電気的に接続されており、生産性のよいモジュールを提供することを課題とする。
【課題を解決するための手段】
【００１６】
前記課題を解決するため、一方の短辺に沿って第一の電子デバイス接続端子が設けられ、他方の短辺に沿って第二の電子デバイス接続端子が設けられている電子デバイスと、基板部と枠部とで構成されて矩形形状の凹部空間が形成され、前記凹部空間の底面の一方の短辺に沿って第一の電子デバイス搭載パッドが設けられ、前記凹部空間の底面の他方の短辺に沿って第二の電子デバイス搭載パッドが設けられている電子デバイス搭載部材と、を備え、前記電子デバイスの前記第一の電子デバイス接続端子と前記電子デバイス搭載部材の前記第一の電子デバイス搭載パッドとが対向する位置に設けられ、前記電子デバイスの前記第二の電子デバイス接続端子と前記電子デバイス搭載部材の前記第二の電子デバイス搭載パッドとが対向する位置に設けられ、前記電子デバイスの一方の短辺側の側面と前記凹部空間の一方の短辺を含む前記枠部の内側の短辺側側面とが接していることを特徴とする。
【００１７】
また、前記課題を解決するため、一方の短辺に沿って第一の電子デバイス接続端子と第三の電子デバイス接続端子とが並んで設けられ、他方の短辺に沿って第二の電子デバイス接続端子と第四の電子デバイス接続端子とが並んで設けられている電子デバイスと、基板部と枠部とで構成されて矩形形状の凹部空間が形成され、前記凹部空間の底面の４隅に第一の電子デバイス搭載パッドと第二の電子デバイス搭載パッドと第三の電子デバイス搭載パッドと第四の電子デバイス搭載パッドとが一つずつ設けられている電子デバイス搭載パッドと、を備え、前記電子デバイスの前記第一の電子デバイス接続端子と
前記電子デバイス搭載部材の前記第一の電子デバイス搭載パッドとが対向する位置に設けられ、前記電子デバイスの前記第二の電子デバイス接続端子と前記電子デバイス搭載部材の前記第二の電子デバイス搭載パッドとが対向する位置に設けられ、前記電子デバイスの前記第三の電子デバイス接続端子と前記電子デバイス搭載部材の前記第三の電子デバイス搭載パッドとが対向する位置に設けられ、前記電子デバイスの前記第四の電子デバイス接続端子と前記電子デバイス搭載部材の前記第四の電子デバイス搭載パッドとが対向する位置に設けられ、前記電子デバイスの一方の短辺側の側面と前記凹部空間の底面の一方の短辺を含む前記枠部の内側の短辺側側面とが接し、前記電子デバイスの一方の長辺側の側面と前記凹部空間の底面の一方の長辺を含む前記枠部の内側の長辺側側面とが接していることを特徴とする。
【発明の効果】
【００１８】
このようなモジュールは、電子デバイスと、基板部と枠部とで構成され凹部空間が形成されている電子デバイス搭載部材と、から主になっている。
また、このようなモジュールは、電子デバイスの一方の短辺側の側面と凹部空間の底面の一方の短辺を含む枠部の内側の短辺側側面とが接している。
また、このようなモジュールは、第一の電子デバイス接続端子と第一の電子デバイス搭載パッドとが対向した位置に設けられて電気的に接続されている。また、このようなモジュールは、第二の電子デバイス接続端子と第二の電子デバイス搭載パッドとが対向した位置に設けられて電気的に接続されている。
つまり、このようなモジュールは、電子デバイスの一方の短辺側の側面を基準として電子デバイスが電子デバイス搭載部材の所定の位置に搭載された構造となっている。
従って、それぞれの短辺に沿って電子デバイス接続端子が一つずつ設けられている電子デバイスを用いる場合、このようなモジュールは、電子デバイスが電子デバイス搭載部材の所定の位置に容易に搭載されて所定の電子デバイス接続端子と所定の電子デバイス搭載パッドとが対向する位置に設けられる構造となっているので、生産性を向上させることができる。
【００１９】
このようなモジュールは、電子デバイスと、基板部と枠部とで構成され凹部空間が形成されている電子デバイス搭載部材と、から主になっている。
また、このようなモジュールは、電子デバイスの一方の短辺側の側面と凹部空間の底面の一方の短辺を含む枠部の内側の短辺側側面とが接し、電子デバイスの一方の長辺側の側面と凹部空間の底面の一方の長辺を含む枠部の内側の長辺側側面とが接している。
また、このようなモジュールは、第一の電子デバイス接続端子と第一の電子デバイス搭載パッドが対向した位置に設けられ電気的に接続されている。また、このようなモジュールは、第二の電子デバイス接続端子と第二の電子デバイス搭載パッドが対向した位置に設けられ電気的に接続されている。また、このようなモジュールは、第三の電子デバイス接続端子と第三の電子デバイス搭載パッドが対向した位置に設けられ電気的に接続されている。また、このようなモジュールは、第四の電子デバイス接続端子と第四の電子デバイス搭載パッドが対向した位置に設けられ電気的に接続されている。
つまり、このようなモジュールは、電子デバイスの一方の短辺側の側面と電子デバイスの一方の長辺側の側面とを基準として、電子デバイスが電子デバイス搭載部材の所定の位置に搭載された構造となっている。
従って、このようなモジュールは、電子デバイスが電子デバイス搭載部材の所定の位置に容易に搭載されて所定の電子デバイス接続端子と所定の電子デバイス搭載パッドとが対向する位置に設けられる構造となっているので、生産性を向上させることができる。
【図面の簡単な説明】
【００２０】
【図１】本発明の第一の実施形態に係るモジュールの一例を示す断面図である。
【図２】本発明の第一の実施形態に係るモジュールに用いる電子デバイス搭載部材の一例を示す概念図である。
【図３】本発明の第二の実施形態に係るモジュールの一例を示す概念図である。
【図４】図３のＥ−Ｅの断面図である。
【図５】図３のＦ−Ｆの断面図である。
【図６】本発明の第二の実施形態に係るモジュールに用いる電子デバイス搭載部材の一例を示す概念図である。
【図７】本発明の第二の実施形態に係るモジュールに用いる電子デバイスの一例を示す概念図である。
【発明を実施するための形態】
【００２１】
次に、本発明を実施するための最良の形態について説明する。なお、各図面において、各構成要素の状態をわかりやすくために誇張して図示している。
【００２２】
（第一の実施形態）
本発明の第一の実施形態に係るモジュールについて説明する。
本発明の第一の実施形態に係るモジュール１００は、図１に示すように、電子デバイス搭載部材１１０と電子デバイス１２０とから主に構成されている。
【００２３】
電子デバイス１２０は、一方の主面のそれぞれの短辺に沿って電子デバイス接続端子１２１（１２１ａ，１２１ｂ）が設けられている。
ここで、電子デバイス１２０は、例えば、図１に示すように、第一の電子デバイス接続端子１２１ａが一方の短辺に沿って設けられ、第二の電子デバイス接続端子１２１ｂが他方の短辺に沿って設けられている。
【００２４】
第一の電子デバイス接続端子１２１ａは、電子デバイス１２０の一方の主面であって一方の短辺に沿って設けられている。
第一の電子デバイス接続端子１２１ａは、図１に示すように、後述する電子デバイス搭載部材１１０の第一の電子デバイス搭載パッド１１１ａと対向する位置に設けられ、例えば、半田等の導電材料ＤＺによって第一の電子デバイス搭載パッド１１１ａと電気的に接続されている。
【００２５】
第二の電子デバイス接続端子１２１ｂは、電子デバイス１２０の一方の主面であって他方の短辺に沿って設けられている。
第二の電子デバイス接続端子１２１ｂは、図１に示すように、後述する電子デバイス搭載部材１１０の第二の電子デバイス搭載パッド１１１ｂと対向する位置に設けられ、例えば、半田等の導電材料にＤＺよって第二の電子デバイス搭載パッド１１１ｂと電気的に接続されている。
また、第二の電子デバイス接続端子１２１ｂは、第一の電子デバイス接続端子１２１ａと同じ大きさとなっている。
【００２６】
ここで、電子デバイス１２０の横幅Ｃ１１は、図１に示すように、デバイス１２０の長辺に平行な向きの幅、つまり、電子デバイス１２０の長辺長さである。
また、第一の電子デバイス接続端子１２１ａの横幅Ｃ１２は、図１に示すように、第一の電子デバイス接続端子１２１ａの長辺方向の幅である。
また、第二の電子デバイス接続端子１２１ｂの横幅Ｃ１３は、図１に示すように、第二の電子デバイス接続端子１２１ｂの長辺方向の幅である。また、第二の電子デバイス接続端子１２１ｂの横幅Ｃ１３は、第一の電子デバイス接続端子１２１ａと第二の電子デバイス接続端子１２１ｂとが同じ大きさなので、第一の電子デバイス接続端子１２１ａの横幅Ｃ１２と同じ値となっている。
また、第二の電子デバイス接続端子１２１ｂまでの幅Ｃ１４は、図１に示すように、電子デバイス１２０の一方の短辺と、この一方の短辺に平行でかつこの一方の短辺に近い第二の電子デバイス接続端子１２１ｂの縁との距離である。
なお、ここでは、横は、電子デバイス１２０の長辺に平行な向きである。また、縦は、電子デバイス１２０の短辺に平行な向きである。
【００２７】
ここで、電子デバイス１２０は、例えば、電子デバイス接続端子１２１（１２１ａ，１２１ｂ）が２つ設けられている圧電振動子である。
また、電子デバイス１２０は、例えば、長辺長さが５．０ｍｍとなっており、短辺長さが３．２ｍｍとなっている。つまり、電子デバイス１２０の横幅Ｃ１１は、５．０ｍｍとなっている。
第一の電子デバイス接続端子１２１ａは、例えば、電子デバイス接続端子１２１ａの横幅Ｃ１２が１．３ｍｍとなっており、電子デバイス接続端子１２１ａの縦幅が３．２ｍｍとなっている。
第二の電子デバイス接続端子１２１ｂは、例えば、第一の電子デバイス接続端子１２１ａと同じ大きさとなっている。つまり、第二の電子デバイス接続端子１２１ｂの横幅Ｃ１３は、１．３ｍｍとなっている。
第二の電子デバイス接続端子１２１ｂまでの幅Ｃ１４は、例えば、３．７ｍｍとなっている。
【００２８】
なお、ここで、電子デバイス１２０が圧電振動子の場合について説明しているが、電子デバイス接続端子が両短辺に沿って一つずつ設けられている電子デバイスであれば、例えば、チップコンデンサやチップ抵抗であってもよい。
【００２９】
電子デバイス搭載部材１１０は、図１に示すように、基板部１１０ａと枠部１１０ｂとで構成され、矩形形状の凹部空間１１２が形成されている。
また、電子デバイス搭載部材１１０は、図１及び図２に示すように、凹部空間１１２の底面に複数の電子デバイス搭載パッド１１１（１１１ａ，１１１ｂ）が設けられている。
また、電子デバイス搭載部材１１０は、図１に示すように、凹部空間１１２が形成されていない主面、つまり、電子デバイス搭載部材１１０の他方の主面に搭載部材接続端子１１３（１１３ａ，１１３ｂ）が設けられている。
また、電子デバイス搭載部材１１０は、所定の電子デバイス搭載パッド１１１と所定の電子デバイス搭載部材接続端子１１３とを電気的に接続させている内部配線（図示せず）が設けられている。
【００３０】
ここで、電子デバイス搭載部材１１０の一方の主面は、凹部空間１１２が設けられている主面である。言い換えると、電子デバイス搭載部材１１０の一方の主面は、基板部１１０ａと枠部１１０ｂとが接している面と対向する枠部１１０ｂの面である。
また、電子デバイス搭載部材１１０の他方の主面は、凹部空間１１２が設けられていない主面である。言い換えると、電子デバイス搭載部材１１０の他方の主面は、基板部１１０ａと枠部１１０ｂとが接している面と対向する基板部１１０ａの面である。
【００３１】
基板部１１０ａは、例えば、図１に示すように、矩形形状の平板状に設けられている。
【００３２】
枠部１１０ｂは、例えば、枠形状の平板状に設けられている。
また、枠部１１０ｂは、図１に示すように、基板部１１０ａの一方の主面の縁部に設けられて、矩形形状の凹部空間１１２を形成している。
【００３３】
この凹部空間１１２は、その底面の大きさが前述した電子デバイス１２０の主面より大きくなっている。
底面の大きさが電子デバイス１２０の主面より小さい場合、凹部空間１１２内に電子デバイス１２０を搭載することができなくなってしまう。このため、凹部空間１１２は、その底面の大きさが電子デバイス１２０の主面より大きくなっている。
【００３４】
ここで、短辺側側面Ｓ１１は、図１及び図２に示すように、凹部空間１１２の底面の一方の短辺を含む枠部１１０ｂの内側の側面である。
短辺側側面Ｓ１１は、図１に示すように、電子デバイス１２０の一方の短辺側の側面と接している。
【００３５】
電子デバイス搭載パッド１１１は、図１及び図２に示すように、凹部空間１１２の底面の短辺に沿って一つずつ設けられている。
ここで、電子デバイス搭載パッド１１１は、例えば、図１及び図２に示すように、第一の電子デバイス搭載パッド１１１ａが凹部空間１１２の底面の一方の短辺に沿って設けられ、第二の電子デバイス搭載パッド１１１ｂが凹部空間１１２の底面の他方の短辺に沿って設けられている。
【００３６】
第一の電子デバイス搭載パッド１１１ａは、図１及び図２に示すように、凹部空間１１２の底面の一方の短辺に沿って設けられている。
第一の電子デバイス搭載パッド１１１ａは、例えば、図１に示すように、電子デバイス１２０の第一の電子デバイス接続端子１２１ａと対向する位置に設けられ、半田等の導電材料ＤＺによって電気的に接続されている。
まだ、第一の電子デバイス搭載パッド１１１ａは、内部配線を介して後述する第一の搭載部材接続端子１１３ａと電気的に接続されている。
【００３７】
ここで、第一の電子デバイス搭載パッド１１１ａの横幅Ａ１１は、図１及び図２に示すように、電子デバイス搭載部材の長辺に平行な向きの第一の電子デバイス搭載パッド１１１ａの幅である。
つまり、図２では、第一の電子デバイス搭載パッド１１１ａの横幅Ａ１１は、第一の電子デバイス搭載パッド１１１ａの短辺長さとなっている。
【００３８】
第一の電子デバイス搭載パッド１１１ａの横幅Ａ１１は、第二の電子デバイス接続端子１２１ｂまでの幅Ｃ１４より小さくなっている。
第一の電子デバイス搭載パッド１１１ａの横幅Ａ１１が第二の電子デバイス接続端子１２１ｂまでの幅Ｃ１４より大きい場合、第一の電子デバイス搭載パッド１１１ａは、電子デバイス１２０の第一の電子デバイス接続端子１２１ａと第二の電子デバイス接続端子１２１ｂと対向する位置に設けられ、第一の電子デバイス接続端子１２１ａと第二の電子デバイス接続端子１２１ｂとが第一の電子デバイス搭載パッド１１１ａによって電気的に接続される。
このため、第一の電子デバイス搭載パッド１１１ａの横幅Ａ１１は、第二の電子デバイス接続端子１２１ｂまでの幅Ｃ１４より小さくなっている。
【００３９】
第二の電子デバイス搭載パッド１１１ｂは、図１及び図２に示すように、凹部空間１１２の底面の他方の短辺に沿って設けられている。
また、第二の電子デバイス搭載パッド１１１ｂは、例えば、図１に示すように、電子デバイス１２０の第二の電子デバイス接続端子１２１ｂと対向する位置に設けられ、半田等の導電材料ＤＺによって電気的に接続されている。
まだ、第二の電子デバイス搭載パッド１１１ｂは、内部配線を介して後述する第二の搭載部材接続端子１１３ｂと電気的に接続されている。
【００４０】
ここで、第二の電子デバイス搭載パッド１１１ｂの横幅Ａ１２は、図１及び図２に示すように、電子デバイス搭載部材１１０の長辺に平行な向きの第二の電子デバイス搭載パッド１１１ｂの幅ある。
つまり、図２では、第二の電子デバイス搭載パッド１１１ｂの横幅Ａ１２は、第二の電子デバイス搭載パッド１１１ｂの長辺長さである。
【００４１】
また、ここで、第二の電子デバイス搭載パッド１１１ｂまでの幅Ａ１３は、図１及び図２に示すように、凹部空間１１２の底面の一方の短辺から第二の電子デバイス搭載パッド１１１ｂまでの距離である。言い換えると、第二の電子デバイス搭載パッド１１１ｂまでの幅Ａ１３は、凹部空間１１２の底面の一方の短辺と、この一方の短辺に平行でかつこの一方の近い第二の電子デバイス搭載パッド１１１ｂとの距離である。
【００４２】
第二の電子デバイス搭載パッド１１１ｂまでの幅Ａ１３は、電子デバイス１２０の横幅Ｃ１１より小さくなっており、電子デバイス１２０の第一の電子デバイス接続端子１２１ａの横幅Ｃ１２より大きくなっている。
第二の電子デバイス搭載パッド１１１ｂまでの幅Ａ１３が電子デバイス１２０の横幅Ｃ１１より大きい場合、第二の電子デバイス搭載パッド１１１ｂは、電子デバイス１２０の第二の電子デバイス接続端子１２１ｂと対向する位置に設けられない。
また、第二の電子デバイス搭載パッド１１１ｂまでの幅Ａ１３が電子デバイス１２０の第一の電子デバイス接続端子１２１ａの横幅Ｃ１２より小さい場合、第二の電子デバイス搭載パッド１１１ｂは、第一の電子デバイス接続端子１２１ａと対向する位置に設けられる。このため、第二の電子デバイス搭載パッド１１１ｂは、第一の電子デバイス接続端子１２１ａを介して第一の電子デバイス搭載パッド１１１ａと電気的に接続され、また、第一の電子デバイス接続端子１２１ａと第二の電子デバイス接続端子１２１ｂとを電気的に接続してしまう。
従って、第二の電子デバイス搭載パッド１１１ｂまでの幅Ａ１３は、電子デバイス１２０の横幅Ｃ１１より小さくなっており、電子デバイス１２０の第一の電子デバイス接続端子１２１ａの横幅Ｃ１２より大きくなっている。
【００４３】
搭載部材接続端子１１３は、図１に示すように、電子デバイス搭載部材１１０の他方の主面、つまり、凹部空間１１２が形成されていない主面に設けられている。
また、搭載部材接続端子１１３は、電子機器の配線基板の搭載パッドと対向する位置に設けられている。
また、搭載部材接続端子１１３は、例えば、二つ設けられており、電子デバイス搭載部材１１０の他方の主面のそれぞれの短辺に沿って一つずつ設けられている。
【００４４】
ここで、第一の搭載部材接続端子１１３ａは、電子デバイス搭載部材１１０の他方の主面の一方の短辺に沿って設けられている。
第一の搭載部材接続端子１１３ａは、電子デバイス搭載部材１１０の内部配線を介して第一の電子デバイス搭載パッド１１１ａと電気的に接続されている。
【００４５】
ここで、第二の搭載部材接続端子１１３ｂは、電子デバイス搭載部材１１０の他方の主面の他方の短辺に沿って設けられている。
第二の搭載部材接続端子１１３ｂは、電子デバイス搭載部材１１０の内部配線を介して第二の電子デバイス搭載パッド１１１ｂと電気的に接続されている。
【００４６】
電子デバイス搭載部材１１０は、電子デバイス１２０の一方の短辺側の側面を基準にすることで、電子デバイス搭載部材１１０の所定の位置に容易に搭載することができる構造となっている。
また、電子デバイス１２０を所定の位置に搭載した場合、電子デバイス搭載部材１１０は、所定の電子デバイス搭載パッド１１１と電子デバイス１２０の所定の電子デバイス接続端子１２１とが対向する位置に設けられる構造となっている。
【００４７】
ここで、電子デバイス搭載部材１１０は、例えば、凹部空間１１２の底面の長辺長さが８．０ｍｍとなっており、凹部空間１１２の底面の短辺長さが４．５ｍｍとなっている。
また、第一の電子デバイス搭載パッド１１１ａは、例えば、第一の電子デバイス搭載パッド１１１ａの横幅Ａ１１が１．５ｍｍとなっており、第一の電子デバイス搭載パッド１１１ａの縦幅が４．５ｍｍとなっている。
また、第二の電子デバイス搭載パッド１１１ｂは、例えば、第一の電子デバイス搭載パッド１１１ｂの横幅Ａ１２が５．５５ｍｍとなっており、第一の電子デバイス搭載パッド１１１ｂの縦幅が４．５ｍｍとなっている。
また、第二の電子デバイス搭載パッド１１１ｂまでの幅Ａ１３は、例えば、２．４５ｍｍとなっている。
【００４８】
従って、本発明の第一の実施形態に係るモジュール１００は、図１に示すように、電子デバイス１２０の一方の短辺側の側面と電子デバイス搭載部材１１０の短辺側側面Ｓ１１とが接する位置に電子デバイス１２０が電子デバイス搭載部材１１０に搭載されている。
このとき、本発明の第一の実施形態に係るモジュール１００は、電子デバイス１２０の第一の電子デバイス接続端子１２１ａが、電子デバイス搭載部材１１０の第一の電子デバイス搭載パッド１１１ａと対向した位置に設けられ、電子デバイス搭載部材１１０の第二の電子デバイス搭載パッド１１１ｂと対向しない位置に設けられている。
従って、本発明の第一の実施形態に係るモジュール１００は、第一の電子デバイス接続端子１２１ａと第一の電子デバイス搭載パッド１１１ａとが電気的に接続され、第一の電子デバイス接続端子１２１ａと第二の電子デバイス搭載パッド１１１ｂとが電気的に接続されていない。また、本発明の第一の実施形態に係るモジュール１００は、第二の電子デバイス接続端子１２１ｂと第二の電子デバイス搭載パッド１１１ｂとが電気的に接続され、第二の電子デバイス接続端子１２１ｂと第一の電子デバイス搭載パッド１１１ａとが電気的に接続されていない。
【００４９】
このような本発明の第一の実施形態に係るモジュール１００は、電子デバイス１２０と基板部１１０ａ及び枠部１１０ｂで構成され凹部空間１１２が形成されている電子デバイス搭載部材１１０とから主に構成されている。
また、このような本発明の第一の実施形態に係るモジュール１００は、電子デバイス１２０の一方の短辺側の側面と凹部空間１１２の底面の一方の短辺を含む枠部１１０ｂの内側の短辺側側面Ｓ１１とが接している。
また、このような本発明の第一の実施形態に係るモジュール１００は、第一の電子デバイス接続端子１２１ａと第一の電子デバイス搭載パッド１１１ａとが対向した位置に設けられて電気的に接続されている。また、このような本発明の第一の実施形態に係るモジュール１００は、第二の電子デバイス接続端子１２１ｂと第二の電子デバイス搭載パッド１１１ｂとが対向した位置に設けられて電気的に接続されている。
つまり、このような本発明の第一の実施形態に係るモジュール１００は、電子デバイス１２０の一方の短辺側の側面を基準として電子デバイス１２０が電子デバイス搭載部材１１０の所定の位置に搭載された構造となっている。
従って、それぞれの短辺に沿って電子デバイス接続端子１２１が一つずつ設けられている電子デバイス１２０を用いる場合、このような第一の実施形態に係るモジュール１００は、電子デバイス１２０が電子デバイス搭載部材１１０の所定の位置に容易に搭載されて所定の電子デバイス接続端子１２１と所定の電子デバイス搭載パッド１１１とが対向する位置に設けられる構造となっているので、生産性を向上させることができる。
【００５０】
（第二の実施形態）
次に、本発明の第二の実施形態に係るモジュールについて説明する。
本発明の第二の実施形態に係るモジュール２００は、図３に示すように、電子デバイス２２０の一方の短辺側の側面と電子デバイス２２０の一方の長辺側の側面とを基準にして電子デバイス２２０が電子デバイス搭載部材２１０に搭載されている点で第一の実施形態と異なる。
【００５１】
本発明の第二の実施形態に係るモジュール２００は、図３〜図５に示すように、電子デバイス２２０と電子デバイス搭載部材２１０とから構成されている。
【００５２】
電子デバイス２２０は、図５及び図７に示すように、一方の主面であって一方の短辺に沿って電子デバイス接続端子２２１ａ，２２１ｃが並んで設けられている。
また電子デバイス２２０は、図７に示すように、一方の主面であって他方の短辺に沿って電子デバイス接続端子２２１ｂ，２２１ｄが並んで設けられている。
つまり、電子デバイス２２０は、例えば、図７に示すように、一方の主面の４隅に電子デバイス接続端子２２１が一つずつ設けられている。
【００５３】
ここで、電子デバイス２２０の横幅Ｃ２１は、図４及び図７に示すように、電子デバイス２２０の長辺長さとなっている。
また、電子デバイス２２０の縦幅Ｄ２１は、図５及び図７に示すように、電子デバイス２２０の短辺長さとなっている。
【００５４】
第一の電子デバイス接続端子２２１ａは、電子デバイス２２０の一方の主面であって一方の短辺の一方の端部に設けられている。ここで、第一の電子デバイス接続端子２２１ａは、例えば、図７に示すように、電子デバイス２２０の一方の短辺と一方の長辺とに沿って設けられている。
また、第一の電子デバイス接続端子２２１ａは、図４及び図５に示すように、後述する第一の電子デバイス搭載パッド２１１ａと対向する位置に設けられ、例えば、半田等の導電材料ＤＺによって第一の電子デバイス搭載パッド２１１ａと電気的に接続されている。
【００５５】
ここで、第一の電子デバイス接続端子２２１ａの横幅Ｃ２２は、図４及び図７に示すように、電子デバイス２２０の長辺に平行な向きの第一の電子デバイス接続端子２２１ａの幅である。
つまり、図７では、第一の電子デバイス接続端子２２１ａの横幅Ｃ２２は、第一の電子デバイス接続端子２２１ａの長辺長さとなっている。
【００５６】
また、第一の電子デバイス接続端子２２１ａの縦幅Ｄ２２は、図５及び図７に示すように、電子デバイス２２０の短辺に平行な向きの第一の電子デバイス接続端子２２１ａの幅である。
つまり、図７では、第一の電子デバイス接続端子２２１ａの縦幅Ｄ２２は、第一の電子デバイス接続端子２２１ａの短辺長さである。
【００５７】
第二の電子デバイス接続端子２２１ｂは、図４及び図７に示すように、電子デバイス２２０の一方の主面であって他方の短辺の一方の端部に設けられている。ここで、第二の電子デバイス接続端子２２１ｂは、例えば、図７に示すように、電子デバイス２２０の他方の短辺と一方の長辺とに沿って設けられている。従って、第二の電子デバイス接続端子２２１ｂと第一の電子デバイス接続端子２２１ａが電子デバイス１２０の一方の長辺に沿って並んでいる。
また、第二の電子デバイス接続端子２２１ｂは、図４に示すように、後述する第二の電子デバイス搭載パッド２１１ｂと対向する位置に設けられ、例えば、半田等の導電材料ＤＺによって第二の電子デバイス搭載パッド２１１ｂと電気的に接続されている。
ここで、第二の電子デバイス接続端子２２１ｂは、第一の電子デバイス接続端子２２１ａと同じ大きさとなっている。
【００５８】
ここで、第二の電子デバイス接続端子２２１ｂの横幅Ｃ２３は、図４及び図７に示すように、電子デバイス２２０の長辺に平行な向きの第二の電子デバイス接続端子２２１ａの幅である。つまり、図７では、第二の電子デバイス接続端子２２１ｂの横幅Ｃ２３は、第二の電子デバイス接続端子２２１ｂの長辺長さとなっている。
また、第二の電子デバイス接続端子２２１ｂの横幅Ｃ２３は、第二の電子デバイス接続端子２２１ｂと第一の電子デバイス接続端子２２１ａとが同じ大きさとなっていることから第一の電子デバイス接続端子２２１ａの横幅Ｃ２２と同じ値となっている。
【００５９】
また、ここで、第二の電子デバイス接続端子２２１ｂの縦幅（図示せず）は、電子デバイス２２０の短辺に平行な向きの第二の電子デバイス接続端子２２１ｂの幅である。
つまり、図７では、第二の電子デバイス接続端子２２１ｂの縦幅は、第二の電子デバイス接続端子２２１ｂの短辺長さとなっている。
また、第二の電子デバイス接続端子２２１ｂの縦幅は、第二の電子デバイス接続端子２２１ｂと第一の電子デバイス接続端子２２１ａとが同じ大きさとなっていることから、第一の電子デバイス接続端子２２１ａの縦幅Ｄ２２と同じ値となっている。
【００６０】
また、ここで、第二の電子デバイス接続端子２２１ｂまでの幅Ｃ２４は、図４及び図７に示すように、凹部空間１１２の底面の一方の短辺から、この一方の短辺と平行で、かつ、この一方の短辺に近い第二の電子デバイス接続端子２２１ｂの縁との距離である。
【００６１】
第三の電子デバイス接続端子２２１ｃは、図５及び図７に示すように、電子デバイス２２０の一方の主面であって一方の短辺の他方の端部に設けられている。ここで、第三の電子デバイス接続端子２２１ｃは、例えば、図５及び図７に示すように、電子デバイス２２０の一方の短辺と電子デバイス２２０の他方の長辺とに沿って設けられている。従って、第三の電子デバイス接続端子２２１ｃと第一の電子デバイス接続端子２２１ａが電子デバイス２２０の一方の短辺に沿って並んで設けられている。
また、第三の電子デバイス接続端子２２１ｃは、図５に示すように、後述する第三の電子デバイス搭載パッド２１１ｃと対向する位置に設けられ、例えば、半田等の導電材料ＤＺによって第三の電子デバイス搭載パッド２１１ｂｃ電気的に接続されている。
ここで、第三の電子デバイス接続端子２２１ｃは、第一の電子デバイス接続端子２２１ａと同じ大きさとなっている。
【００６２】
ここで、第三の電子デバイス接続端子２２１ｃの横幅（図示せず）は、電子デバイス２２０の長辺に平行な向きの第三の電子デバイス接続端子２２１ｃの幅である。つまり、図７では、第三の電子デバイス接続端子２２１ｃの横幅は、第二の電子デバイス接続端子２２１ｃの長辺長さとなっている。
また、第三の電子デバイス接続端子２２１ｃの横幅は、第三の電子デバイス接続端子２２１ｃと第一の電子デバイス接続端子２２１ａとが同じ大きさとなっていることから、第一の電子デバイス接続端子２２１ａの横幅Ｃ２２と同じとなっている。
【００６３】
また、ここで、第三の電子デバイス接続端子２２１ｃの縦幅Ｄ２３は、図５及び図７に示すように、電子デバイス２２０の短辺に平行な向きの第三の電子デバイス接続端子２２１ｃの幅である。つまり、図７では、第三の電子デバイス接続端子２２１ｃの縦幅Ｄ２３は、第三の電子デバイス接続端子２２１ｃの短辺長さとなっている。
また、第三の電子デバイス接続端子２２１ｃの縦幅Ｄ２３は、第三の電子デバイス接続端子２１２ｃと第一の電子デバイス接続端子２２１ａの縦幅Ｄ２２と同じとなっている。
【００６４】
また、ここで、第三の電子デバイス接続端子２２１ｃまでの幅Ｄ２４は、図５及び図７に示すように、凹部空間２１２の一方の長辺と、この一方の長辺に平行で、かつ、この一方の長辺に近い第三の電子デバイス接続端子２２１ｃの縁との距離である。
【００６５】
第四の電子デバイス接続端子２２１ｄは、図７に示すように、電子デバイス２２０の一方の主面であって他方の短辺の他方の端部に設けられている。ここで、第四の電子デバイス接続端子２２１ｄは、例えば、図７に示すように、電子デバイス２２０の他方の短辺と電子デバイス２２０の他方の長辺に沿って設けられている。従って、第四の電子デバイス接続端子２２１ｄは、第三の電子デバイス接続端子２２１ｃと電子デバイス２２０の他方の長辺に沿って並んで設けられている。
また、第四の電子デバイス接続端子２２１ｄは、後述する第四の電子デバイス搭載パッド２１１ｄと対向する位置に設けられ、例えば、半田等の導電材料ＤＺによって第四の電子デバイス搭載パッド２１１ｄと電気的に接続されている。
ここで、第四の電子デバイス接続端子２２１ｄは、第一の電子デバイス接続端子２２１ａと同じ大きさとなっている。
【００６６】
ここで、第二の電子デバイス接続端子２２１ｄの横幅（図示せず）は、電子デバイス２２０の長辺に平行な向きの第四の電子デバイス接続端子２２１ｄの幅である。つまり、図７では、第四の電子デバイス接続端子２２１ｄの横幅は、第四の電子デバイス２２１ｄの長辺長さとなっている。
また第四の電子デバイス接続端子２２１ｄの横幅は、第四の電子デバイス接続端子２２１ｄと第一の電子デバイス接続端子２２１ａとが同じ大きさとなっていることから、第一の電子デバイス接続端子２２１ａの横幅Ｃ２２と同じとなっている。
【００６７】
また、ここで、第四の電子デバイス接続端子２２１ｄの横幅（図示せず）は、電子デバイス２２０の短辺に平行な向きの第二の電子デバイス接続端子２２１ｄの幅である。つまり、図７では、第四の電子デバイス２２１ｄの縦幅は、第四の電子デバイス接続端子２２１ｄの短辺長さとなっている。
また、第四の電子デバイス接続端子２２１ｄの縦幅は、第四の電子デバイス接続端子２２１ｄと第一の電子デバイス接続端子２２１ａと同じ大きさとなっていることから、第一の電子デバイス接続端子２２１ａの縦幅Ｄ２２と同じとなっている。
【００６８】
従って、電子デバイス２２０は、例えば、一方の主面の４隅に一つずつ電子デバイス接続端子２２１が設けられている圧電発振器である。
また、電子デバイス２２０は、例えば、電子デバイス２２０の横幅Ｃ２１が２．５ｍｍとなっており、電子デバイス２２０の縦幅Ｄ２１が２．０ｍｍとなっている。
また、第一の電子デバイス接続端子２２１ａは、例えば、第一の電子デバイス接続端子２２１ａの横幅Ｃ２２が０．７５ｍｍとなっており、第一の電子デバイス接続端子２２１ａの縦幅Ｄ２２が０．６５ｍｍとなっている。
また、第二の電子デバイス接続端子２２１ｂは、第一の電子デバイス接続端子２２１ａと同じ大きさとなっているので、第二の電子デバイス接続端子２２１ｂの横幅Ｃ２３が０．７５ｍｍとなっており、第二の電子デバイス接続端子２２１ｂの縦幅が０．６５ｍｍとなっている。
また、第三の電子デバイス接続端子２２１ｃは、第一の電子デバイス接続端子２２１ａと同じ大きさとなっているので、第三の電子デバイス接続端子２２１ｃの横幅が０．７５ｍｍとなっており、第三の電子デバイス接続端子２２１ｃの縦幅Ｄ２３が０．６５ｍｍとなっている。
また、第四の電子デバイス接続端子は、第一の電子デバイス接続端子２２１ａと同じ大きさとなっているので、第四の電子デバイス接続端子の横幅が０．７５ｍｍとなっており、第四の電子デバイス接続端子の縦幅が０．６５ｍｍとなっている。
また、第二の電子デバイス接続端子２２１ｂまでの幅Ｃ２４は、例えば、１．７５ｍｍとなっている。
また、第三の電子デバイス接続端子２２１ｃまでの幅Ｄ２４は、例えば、１．３５ｍｍとなっている。
【００６９】
なお、ここで、電子デバイス２２０が圧電発振器の場合について説明しているが、一方の主面のそれぞれの短辺に沿って電子デバイス接続端子が２つずつ並んで設けられている電子デバイスであれば、例えば、圧電振動子であってもよいし、例えば、フィルタやモジュールであってもよい。
【００７０】
電子デバイス搭載部材２１０は、図４及び図５に示すように、基板部２１０ａと枠部２１０ｂとで構成され、矩形形状の凹部空間２１２が形成されている。
また、電子デバイス搭載部材２１０は、図３〜図６に示すように、凹部空間２１２の底面に複数の電子デバイス搭載パッド２１１（２１１ａ，２１１ｂ，２１１ｃ，２１１ｄ）が設けられている。
また、電子デバイス搭載部材２１０は、図４及び図５に示すように、凹部空間２１２が形成されていない主面、つまり、電子デバイス搭載部材２１０の他方の主面の４隅に一つずつ搭載部材接続端子２１３が設けられている。
また、電子デバイス搭載部材２１０は、所定の電子デバイス搭載パッド２１１と所定の搭載部材接続端子２１３とを電気的に接続させている内部配線（図示せず）が設けられている。
【００７１】
ここで、電子デバイス搭載部材２１０の一方の主面は、凹部空間２１２が設けられている主面である。言い換えると、電子デバイス搭載部材２１０の一方の主面は、基板部２１０ａと枠部２１０ｂとが接している面と対向する枠部２１０ｂの面である。
また、電子デバイス搭載部材２１０の他方の主面は、凹部空間２１２が設けられていない主面である。言い換えると、電子デバイス搭載部材２１０の他方の主面は、基板部２１０ａと枠部２１０ｂとが接している面と対向する基板部２１０ａの面である。
【００７２】
基板部２１０ａは、例えば、図４及び図５に示すように、矩形形状の平板状に設けられている。
【００７３】
枠部２１０ｂは、例えば、枠形状の平板状に設けられている。
また、枠部２１０ｂは、図４及び図５に示すように、基板部２１０ａの一方の主面の縁部に設けられて、矩形形状の凹部空間２１２を形成している。
【００７４】
この凹部空間２１２は、その底面の大きさが前述した電子デバイス２２０の主面より大きくなっている。
底面の大きさが電子デバイス２２０の主面より小さい場合、凹部空間２１２内に電子デバイス２２０を搭載することができなくなってしまう。このため、凹部空間２１２は、その底面の大きさが電子デバイス２２０の主面より大きくなっている。
【００７５】
ここで、短辺側側面Ｓ２１は、図３〜図６に示すように、凹部空間２１２の底面の一方の短辺を含む枠部２１０ｂの内側の側面である。
短辺側側面Ｓ２１は、図３及び図４に示すように、電子デバイス２２０の一方の短辺側の側面と接している。
【００７６】
ここで、長辺側側面Ｌ２１は、図３〜図６に示すように、凹部空間２１２の底面の一方の長辺を含む枠部２１０ｂの内側の側面である。
長辺側側面Ｌ２１は、図３及び図５に示すように、電子デバイス２２０の一方の長辺側の側面と接している。
【００７７】
電子デバイス搭載パッド２１１は、例えば、図６に示すように、凹部空間２１２の底面の４隅に第一の電子デバイス搭載パッド２１１ａ、第二の電子デバイス搭載パッド２１１ｂ、第三の電子デバイス搭載パッド２１１ｃ、第四の電子デバイス搭載パッド２１１ｄとが設けられている。
【００７８】
ここで、第一の電子デバイス搭載パッド２１１ａは、例えば、図６に示すように、凹部空間２１２の底面の一方の短辺及び一方の長辺に沿って設けられている。
第一の電子デバイス搭載パッド２１１ａは、例えば、図４に示すように、電子デバイス２２０の第一の電子デバイス接続端子２２１ａと対向する位置に設けられ、半田等の導電材料Ｄによって第一の電子デバイス接続端子２２１ａと電気的に接続されている。
また、第一の電子デバイス搭載パッド２１１ａは、内部配線を介して後述する第一の搭載部材接続端子２１３ａと電気的に接続されている。
【００７９】
ここで、第一の電子デバイス搭載パッド２１１ａの横幅Ａ２１は、図４及び図６に示すように、電子デバイス搭載部材２１０の長辺に平行な向きの第一の電子デバイス搭載パッド１１１ａの幅である。
つまり、図６では、第一の電子デバイス搭載パッド２１１ａの横幅Ａ２１は、第一の電子デバイス搭載パッド２１１ａの長辺長さである。
【００８０】
第一の電子デバイス搭載パッド２１１ａの横幅Ａ２１は、第二の電子デバイス接続端子２２１ｂまでの幅Ｃ２４より小さくなっている。
第一の電子デバイス搭載パッド２１１ａの横幅Ａ２１が第二の電子デバイス接続端子２２１ｂまでの幅Ｃ２４より大きい場合、第一の電子デバイス搭載パッド２１１ａは、電子デバイス２２０の第一の電子デバイス接続端子２２１ａと第二の電子デバイス接続端子２２１ｂと対向する位置に設けられ、第一の電子デバイス接続端子２２１ａと第二の電子デバイス接続端子２２１ｂとが第一の電子デバイス搭載パッド２１１ａによって電気的に接続される。
このため、第一の電子デバイス搭載パッド２１１ａの横幅Ａ２１は、第二の電子デバイス接続端子２２１ｂまでの幅Ｃ２４より小さくなっている。
【００８１】
ここで、第一の電子デバイス搭載パッド２１１ａの縦幅Ｂ２１は、図５及び図６に示すように、電子デバイス搭載部材２１０の短辺に平行な向きの第一の電子デバイス搭載パッド２１１ａの幅である。
つまり、図６では、第一の電子デバイス搭載パッド２１１ａの縦幅Ｂ２１は、第一の電子デバイス搭載パッド２１１ａの短辺長さとなっている。
【００８２】
第一の電子デバイス搭載パッド２１１ａの縦幅Ｂ２１は、第三の電子デバイス接続端子２２１ｃまでの幅Ｄ２４より小さくなっている。
第一の電子デバイス搭載パッド２１１ａの縦幅Ｂ２１が第三の電子デバイス接続端子２２１ｃまでの幅Ｄ２４より大きい場合、第一の電子デバイス搭載パッド２１１ａは、電子デバイス２２０の第一の電子デバイス接続端子２２１ａと第三の電子デバイス接続端子２２１ｃと対向する位置に設けられ、第一の電子デバイス接続端子２２１ａと第三の電子デバイス接続端子２２１ｃとが第一の電子デバイス搭載パッド２１１ａによって電気的に接続される。
このため、第一の電子デバイス搭載パッド２１１ａの縦幅Ｂ２１は、第三の電子デバイス接続端子２２１ｃまでの幅Ｄ２４より小さくなっている。
【００８３】
ここで、第二の電子デバイス搭載パッド２１１ｂは、例えば、図３及び図４及び図６に示すように、凹部空間２１２の底面の他方の短辺及び一方の長辺に沿って設けられている。
第二の電子デバイス搭載パッド２１１ｂは、図４に示すように、電子デバイス２２０の第二の電子デバイス接続端子２２１ｂと対向する位置に設けられ、半田等の導電材料ＤＺによって第二の電子デバイス接続端子２２１ｂと電気的に接続されている。
また、第二の電子デバイス搭載パッド２１１ｂは、内部配線を介して後述する第二の搭載部材接続端子２１３ｂと電気的に接続されている。
【００８４】
ここで、第二の電子デバイス搭載パッド２１１ｂの横幅Ａ２２は、図４及び図６に示すように、電子デバイス搭載部材２２０の長辺に平行な向きの第二の電子デバイス搭載パッド２１１ｂの幅である。
つまり、図６では、第二の電子デバイス搭載パッド２１１ｂの横幅Ａ２２は、第二の電子デバイス搭載パッド２１１ｂの長辺長さとなっている。
【００８５】
また、ここで、第二の電子デバイス搭載パッド２１１ｂまでの幅Ａ２３は、図４及び図６に示すように、凹部空間２１２の底面の一方の短辺から第二の電子デバイス搭載パッド２１１ｂまでの幅である。つまり、第二の電子デバイス搭載パッド２１１ｂまでの幅Ａ２３は、凹部空間２１２の底面の一方の短辺と、この一方の短辺に平行で、かつ、この一方の短辺に近い第二の電子デバイス搭載パッド２１２ｂの縁との距離となる。
【００８６】
第二の電子デバイス搭載パッド２１１ｂまでの幅Ａ２３は、電子デバイス２２０の横幅Ｃ２１より小さくなっており、電子デバイス２２０の第一の電子デバイス接続端子２２１ａの横幅Ｃ２２より大きくなっている。
第二の電子デバイス搭載パッド２１１ｂまでの幅Ａ２３が電子デバイス２２０の横幅Ｃ２１より大きい場合、第二の電子デバイス搭載パッド２１１ｂは、電子デバイス２２０の第二の電子デバイス接続端子２２１ｂと対向する位置に設けられず、第二の電子デバイス接続端子２２１ｂと電気的に接続されない。
また、第二の電子デバイス搭載パッド２１１ｂまでの幅Ａ２３が電子デバイス２２０の第一の電子デバイス接続端子２２１ａの横幅Ｃ２２より小さい場合、第二の電子デバイス搭載パッド２１１ｂは、第一の電子デバイス接続端子２２１ａと対向する位置に設けられる。このため、第二の電子デバイス搭載パッド２１１ｂは、第二の電子デバイス接続端子２２１ｂと電気的に接続されると同時に、第一の電子デバイス搭載パッド２１１ａと電気的に接続される。つまり、第二の電子デバイス搭載パッド２１１ｂは、第一の電子デバイス接続端子２１１ａと第二の電子デバイス接続端子２１１ｂとを電気的に接続してしまう。
従って、第二の電子デバイス搭載パッド２１１ｂまでの幅Ａ２３は、電子デバイス２２０の横幅Ｃ２１より小さくなっており、電子デバイス２２０の第一の電子デバイス接続端子２２１ａの横幅Ｃ２２より大きくなっている。
【００８７】
ここで、第二の電子デバイス搭載パッド２１１ｂの縦幅（図示せず）は、電子デバイス２２０の短辺と平行な向きの第二の電子デバイス搭載パッド２１１ｂの幅である。
また、第二の電子デバイス搭載パッド２１１ｂの縦幅は、第一の電子デバイス搭載パッド２１１ａの縦幅Ｂ２１と同じ値となっている。
つまり、図６では、第二の電子デバイス搭載パッド２１１ｂの縦幅は、第二の電子デバイス搭載パッド２１１ｂの短辺長さである。
【００８８】
ここで、第三の電子デバイス搭載パッド２１１ｃは、例えば、図３及び図５及び図６に示すように、凹部空間２１２の底面の一方の短辺及び他方の長辺に沿って設けられている。
第二の電子デバイス搭載パッド２１１ｃは、図５に示すように、電子デバイス２２０の第三の電子デバイス接続端子２２１ｃと対向する位置に設けられ、半田等の導電材料ＤＺによって第三の電子デバイス接続端子２２１ｃと電気的に接続されている。
また、第三の電子デバイス搭載パッド２１１ｃは、内部配線を介して後述する第三の搭載部材接続端子２１３ｃと電気的に接続されている。
【００８９】
ここで、第三の電子デバイス搭載パッド２１１ｃの横幅（図示せず）は、図６に示すように、電子デバイス搭載部材２２０の長辺に平行な向きの第三の電子デバイス搭載パッド２１１ｃの幅である。
また、第三の電子デバイス搭載パッド２１１ｃの横幅は、第一の電子デバイス搭載パッド２１１ａの横幅Ａ２１と同じ値となっている。
つまり、図６では、第三の電子デバイス搭載パッド２１１ｃの横幅は、第三の電子デバイス搭載パッド２１１ｃの短辺長さとなっている。
【００９０】
また、ここで、第三の電子デバイス搭載パッド２１１ｃの縦幅Ｂ２２は、図５及び図６に示すように、電子デバイス搭載部材２２０の短辺に平行な向きの三の電子デバイス搭載パッド２１１ｃの幅である。
つまり、図６では、第三の電子デバイス搭載パッド２１１ｃの縦幅Ｂ２２は、第三の電子デバイス搭載パッド２１１ｃの長辺長さとなっている。
【００９１】
また、ここで、第三の電子デバイス搭載パッド２１１ｃまでの幅Ｂ２３は、図５及び図６に示すように、凹部空間２１２の底面の一方の長辺と、この一方の長辺と平行で、かつ、この一方の長辺に近い第三の電子デバイス搭載パッド２１１ｃの縁との距離である。
【００９２】
第三の電子デバイス搭載パッド２１１ｃまでの幅Ｂ２３は、電子デバイス２２０の縦幅Ｄ２１より小さくなっており、電子デバイス２２０の第一の電子デバイス接続端子２２１ａの縦幅Ｄ２２より大きくなっている。
第三の電子デバイス搭載パッド２１１ｃまでの幅Ｂ２３が電子デバイス２２０の縦幅Ｄ２１より大きい場合、第三の電子デバイス搭載パッド２１１ｃは、電子デバイス２２０の第三の電子デバイス接続端子２２１ｃと対向する位置に設けられず、第三の電子デバイス接続端子２２１ｃと電気的に接続されない。
また、第三の電子デバイス搭載パッド２１１ｃまでの幅Ｂ２３が電子デバイス２２０の第一の電子デバイス接続端子２２１ａの縦幅Ｄ２２より小さい場合、第三の電子デバイス搭載パッド２１１ｃは、第一の電子デバイス接続端子２２１ａと対向する位置に設けられる。このため、第三の電子デバイス搭載パッド２１１ｃは、第三の電子デバイス接続端子２２１ｃと電気的に接続されると同時に、第一の電子デバイス搭載パッド２１１ａと電気的に接続される。つまり、第三の電子デバイス搭載パッド２１１ｃは、第一の電子デバイス接続端子２１１ａと第三の電子デバイス接続端子２２１ｃとを電気的に接続してしまう。
従って、第三の電子デバイス搭載パッド２１１ｃまでの幅Ｂ２３は、電子デバイス２２０の縦幅Ｄ２１より小さくなっており、電子デバイス２２０の第一の電子デバイス接続端子２２１ａの縦幅Ｄ２２より大きくなっている。
【００９３】
ここで、第四の電子デバイス搭載パッド２１１ｄは、例えば、図６に示すように、凹部空間２１２の底面の他方の短辺及び他方の長辺に沿って設けられている。
第四の電子デバイス搭載パッド２１１ｄは、例えば、電子デバイス２２０の第四の電子デバイス接続端子２２１ｄと対向する位置に設けられ、半田等の導電材料ＤＺによって第四の電子デバイス接続端子２２１ｄと電気的に接続されている。
また、第四の電子デバイス搭載パッド２１１ｄは、内部配線を介して後述する第四の搭載部材接続端子２１３と電気的に接続されている。
【００９４】
搭載部材接続端子２１３は、図４及び図５に示すように、電子デバイス搭載部材２１０の他方の主面、つまり、凹部空間２１２が形成されていない主面に設けられている。
また、搭載部材接続端子２１３は、電子機器の配線基板の搭載パッドと対向する位置に設けられている。
また、搭載部材接続端子２１３は、例えば、４つ設けられており、電子デバイス搭載部材２１０の他方の主面の４隅に一つずつ設けられている。
【００９５】
ここで、第一の搭載部材接続端子２１３ａは、例えば、図４及び図５に示すように、電子デバイス搭載部材２１０の一方の短辺及び一方の長辺に沿って設けられ、電子デバイス搭載部材２１０の内部配線を介して第一の電子デバイス搭載パッド２１１ａと電気的に接続されている。
【００９６】
また、第二の搭載部材接続端子２１３ｂは、例えば、図４に示すように、電子デバイス搭載部材２１０の他方の短辺及び一方の長辺に沿って設けられ、電子デバイス搭載部材２１０の内部配線を介して第二の電子デバイス搭載パッド２１１ｂと電気的に接続されている。
【００９７】
また、第三の搭載部材接続端子２１３ｃは、例えば、図５に示すように、電子デバイス搭載部材２１０の一方の短辺及び他方の長辺に沿って設けられ、電子デバイス搭載部材２１０の内部配線を介して第三の電子デバイス搭載パッド２１１ｃと電気的に接続されている。
【００９８】
また、第四の搭載部材接続端子２１３は、例えば、電子デバイス搭載部材２１０の他方の短辺及び他方の長辺に沿って設けられ、電子デバイス搭載部材２１０の内部配線を介して第四の電子デバイス搭載パッド２１１ｄと電気的に接続されている。
【００９９】
つまり、電子デバイス搭載部材２１０は、電子デバイス２２０の一方の短辺側の側面と一方の長辺側の側面とを基準にすることで、電子デバイス搭載部材２１０の所定の位置に容易に搭載することができる構造となっている。
また、電子デバイス２２０を所定の位置に搭載した場合、電子デバイス搭載部材２１０は、所定の電子デバイス搭載パッド２１１と所定の電子デバイス接続端子２２１とが対向する位置に設けられる構造となっている。
【０１００】
ここで、電子デバイス搭載部材２１０は、例えば、凹部空間２１２の底面の長辺長さが３．２ｍｍとなっており、凹部空間２１２の底面の短辺長さが２．５ｍｍとなっている。
また、第一の電子デバイス搭載パッド２１１ａは、例えば、第一の電子デバイス搭載パッド２１１ａの横幅Ａ２１が１．０ｍｍとなっており、第一の電子デバイス搭載パッド２１１ａの縦幅Ｂ２１が０．７５ｍｍとなっている。
また、第二の電子デバイス搭載パッド２１１ｂは、例えば、第二の電子デバイス搭載パッド２１１ｂの横幅Ａ２２が１．９７ｍｍとなっており、第二の電子デバイス搭載パッド２１１ｂの縦幅が０．７５ｍｍとなっている。
また、第三の電子デバイス搭載パッド２１１ｃは、例えば、第三の電子デバイス搭載パッド２１１ｃの横幅が１．０ｍｍとなっており、第三の電子デバイス搭載パッド２１１ｃの縦幅Ｂ２２が１．４９ｍｍとなっている。
また、第四の電子デバイス搭載パッド２１１ｄは、例えば、第四の電子デバイス搭載パッド２１１ｄの横幅が１．９７ｍｍとなっており、第四の電子デバイス搭載パッド２１１ｄの縦幅が１．４９ｍｍとなっている。
また、第二の電子デバイス搭載パッド２１１ｂまでの幅Ａ２３は、例えば、１．２３ｍｍとなっている。
また、第三の電子デバイス搭載パッド２１１ｃまでの幅Ｂ２３は、例えば、１．０１ｍｍとなっている。
【０１０１】
従って、本発明の第二の実施形態に係るモジュール２００は、図３に示すように、電子デバイス２２０の一方の短辺側の側面と電子デバイス搭載部材２１０の短辺側側面Ｓ２１が接しつつ、電子デバイス２２０の一方の長辺側の側面と電子デバイス搭載部材２１０の長辺側側面Ｌ２１が接する位置に電子デバイス２２０が電子デバイス搭載部材２１０に搭載されている。
このとき、本発明の第二の実施形態に係るモジュール２００は、電子デバイス２２０の第一の電子デバイス接続端子２２１ａが電子デバイス搭載部材２１０の第一の電子デバイス搭載パッド２１１ａが対向した位置に設けられ、第二の電子デバイス搭載パッド２１１ｂ及び第三の電子デバイス搭載パッド２１１ｃ及び第四の電子デバイス搭載パッド２１１ｄと対向しない位置に設けられている。従って、第一の電子デバイス搭載パッド２１１ａは、第一の電子デバイス接続端子２２１ａと電気的に接続されるが、第二の電子デバイス接続端子２２１ｂ及び第三の電子デバイス接続端子２２１ｃ及び第四の電子デバイス接続端子と電気的に接続されていない。
また、本発明の第二の実施形態に係るモジュール２００は、第二の電子デバイス接続端子２２１ｂが第二の電子デバイス搭載パッド２１１ｂが対向した位置に設けられ、第一の電子デバイス搭載パッド２１１ａ及び第三の電子デバイス搭載パッド２１１ｃ及び第四の電子デバイス搭載パッド２１１ｄと対向しない位置に設けられている。
また、本発明の第二の実施形態に係るモジュール２００は、第三の電子デバイス接続端子２２１ｃが第三の電子デバイス搭載パッド２１１ｃが対向した位置に設けられ、第一の電子デバイス搭載パッド２１１ａ及び第二の電子デバイス搭載パッド２１１ｂ及び第四の電子デバイス搭載パッド２１１ｄと対向しない位置に設けられている。
また、本発明の第二の実施形態に係るモジュール２００は、第四の電子デバイス接続端子が第四の電子デバイス搭載パッド２１１ｄが対向した位置に設けられ、第一の電子デバイス搭載パッド２１１ａ及び第二の電子デバイス搭載パッド２１１ｂ及び第三の電子デバイス搭載パッド２１１ｃと対向しない位置に設けられている。
【０１０２】
このような本発明の第二の実施形態に係るモジュール２００は、電子デバイス２２０と、基板部２１０ａ及び枠部２１０ｂで構成され凹部空間２１２が形成されている電子デバイス搭載部材２１０と、から主になっている。
また、このような本発明の第二の実施形態に係るモジュール２００は、電子デバイス２２０の一方の短辺側の側面と凹部空間２１２の底面の一方の短辺を含む枠部２１０ｂの内側の短辺側側面Ｓ２１とが接し、電子デバイス２２０の一方の長辺側の側面と凹部空間２１２の底面の一方の長辺を含む枠部２１０ｂの内側の長辺側側面Ｌ２１とが接している。
また、このような本発明の第二の実施形態に係るモジュール２００は、第一の電子デバイス接続端子２２１ａと第一の電子デバイス搭載パッド２１１ａが対向した位置に設けられ電気的に接続されている。また、このような本発明の第二の実施形態に係るモジュール２００は、第二の電子デバイス接続端子２２１ｂと第二の電子デバイス搭載パッド２１１ｂが対向した位置に設けられ電気的に接続されている。また、このような本発明の第二の実施形態に係るモジュール２００は、第三の電子デバイス接続端子２２１ｃと第三の電子デバイス搭載パッド２１１ｃが対向した位置に設けられ電気的に接続されている。また、このような本発明の第二の実施形態に係るモジュール２００は、第四の電子デバイス接続端子２２１ｄと第四の電子デバイス搭載パッド２１１ｄが対向した位置に設けられ電気的に接続されている。
つまり、このような本発明の第二の実施形態に係るモジュール２００は、電子デバイス２２０の一方の短辺側の側面と電子デバイス２２０の一方の長辺側の側面とを基準として、電子デバイス２２０が電子デバイス搭載部材２１０の所定の位置に搭載された構造となっている。
従って、このような本発明の第二の実施形態に係るモジュール２００は、電子デバイス２２０が電子デバイス搭載部材２１０の所定の位置に容易に搭載されて所定の電子デバイス接続端子２２１と所定の電子デバイス搭載パッド２１１とが対向する位置に設けられる構造となっているので、生産性を向上させることができる。
【符号の説明】
【０１０３】
１００，２００  モジュール
１１０，２１０  部品素子搭載部材
１１０ａ，２１０ａ  基板部
１１０ｂ，２１０ｂ  柱部
１１１，２１１  電子デバイス搭載パッド
１１２，２１２  凹部空間
１１３，２１３  電子デバイス搭載部材接続端子
１２０，２２０  電子デバイス
１２１，２２１  電子デバイス接続端子
ＤＺ  導電材料
Ｓ１１，Ｓ２１  短辺側側面
Ｌ２１  長辺側側面
Ａ１１，Ａ２１，Ａ１２，Ａ２２  電子デバイス搭載パッドの横幅
Ａ１３，Ａ２３  電子デバイス搭載パッドまでの幅
Ｂ１１，Ｂ２１，Ｂ１２，Ｂ２２  電子デバイス搭載パッドの縦幅
Ｂ１３，Ｂ２３  電子デバイス搭載パッドまでの幅
Ｃ１１，Ｃ２１  電子デバイスの横幅
Ｃ１２，Ｃ２２，Ｃ１３，Ｃ２３  電子デバイス接続端子の横幅
Ｄ１１，Ｄ２１  電子デバイスの縦幅
Ｄ１２，Ｄ２２，Ｄ１３，Ｄ２３  電子デバイス接続端子の縦幅
【図１】
2011210926.tif 000003
【図２】
2011210926.tif 000004
【図３】
2011210926.tif 000005
【図４】
2011210926.tif 000006
【図５】
2011210926.tif 000007
【図６】
2011210926.tif 000008
【図７】
2011210926.tif 000009